(57)【要約】      （修正有）【課題】明るい所でも暗い所でも使用可能な色覚補正フィルタ、及び色覚補正メガネを提供する。【解決手段】色覚補正フィルタセット（１０１〜１０８）は、波長が４７０ｎｍである青色光の透過率が３０％以上８０％以下に設けられ、波長が５００ｎｍ以上５５０ｎｍ以下からなる緑色光領域の透過率が３０％以上６０％以下に設けられるとともに、前記緑色光領域において波長が４５０ｎｍ以上６００ｎｍ以下の領域における最小透過率を有し、波長が５６０ｎｍである黄色光の透過率が８０％以上であり、波長が６００ｎｍである赤色光の透過率が９０％以上に設けられている。【選択図】図１
2019101345.tif 000002
【特許請求の範囲】
【請求項１】
色覚異常者の色覚を補正する色覚補正フィルタであって、
波長が４７０ｎｍである青色光の透過率が３０％以上８０％以下であり、
波長が５００ｎｍ以上５５０ｎｍ以下からなる緑色光領域の透過率が３０％以上６０％以下に設けられるとともに、波長が４５０ｎｍ以上６００ｎｍ以下の領域における最小透過率が前記緑色光領域に設けられ、
波長が５６０ｎｍである黄色光の透過率が８０％以上であり、（５５０ｎｍ近辺で急勾配で透過率が立ち上がる様子を傾きで表現しにくいので、このように、表現しました。）
波長が６００ｎｍである赤色光の透過率が９０％以上であることを特徴とする色覚補正フィルタ。
【請求項２】
５００ｎｍ以上５５０ｎｍ以下からなる緑色光領域における最大透過率と最小透過率の差が１０％以内である請求項１に記載の色覚補正フィルタ。
【請求項３】
色覚異常者の色覚を補正する色覚補正フィルタであって、
波長が４７０ｎｍである青色光の透過率が３０％以上８０％以下であり、
波長が５２０ｎｍ以上５５０ｎｍ以下からなる緑色光領域の透過率が３０％以上６０％以下に設けられ、
波長が５６０ｎｍである黄色光の透過率が８０％以上であり、
波長が６００ｎｍである赤色光の透過率が９０％以上であることを特徴とする色覚補正フィルタ。
【請求項４】
５２０ｎｍ以上５５０ｎｍ以下からなる緑色光領域における最大透過率と最小透過率の差が１０％以内である請求項３に記載の色覚補正フィルタ。
フィルタ。
【請求項５】
請求項１から請求項４のいずれか１項に記載の色覚補正フィルタを左右一対に備えた色覚補正メガネ。
【発明の詳細な説明】
【技術分野】
【０００１】
この発明は、色覚異常者の色の判別を補助する色覚補正フィルタ、及び該色覚補正フィルタを左右一対に備えた色覚補正メガネに関する。
【背景技術】
【０００２】
従来、色覚異常者の色覚を補正すべく、光の波長ごとに透過率の変化する色覚透過率曲線を備えた色覚補正メガネが知られている（例えば、特許文献１）。
【０００３】
特許文献１の色覚補正フィルタは、色覚異常者が色覚正常者に比べて特定の波長の光に対する感度が他の波長の光に対する感度より強すぎるために色覚に異常をきたしており、その波長の光の透過率を抑えた色覚補正フィルタを使用すれば色覚を補正できるという理論に基づいている。
例えば、緑色に対する感度の強い色覚特性を有する色覚異常者には、緑色光の透過率を抑えるような透過率曲線を設けた色覚補正フィルタを使用させることにより、その色覚を補正するものである。この理論によると、いわゆる赤緑色覚異常者には、他の色に比べて緑色に対する感度の強いＡタイプと、他の色に比べ緑と青の感度の強いＢタイプが存在し、Ａタイプの色覚異常者には、従来、図３に示したような、緑色光の透過率を抑えた色覚補正フィルタを用い、Ｂタイプの色覚異常者には、図４に示したような、緑と青の光の透過率を抑えた色覚補正フィルタを用いるようにしている。
【０００４】
ところが、特許文献１に係る色覚補正フィルタは、このように色覚異常者が強く感じる光を押さえることで、色の判別能は向上するものの、全体として目に入る光の量が少なくなるため、夜間の自動車の運転等、暗い場所では使いづらいという課題や、フィルタの裏面に当たる光の多くがフィルタを抜けずに反射するため、フィルタの裏面に景色が映って目障りであるという課題があった。
【０００５】
そこで、本発明者は、透過率曲線における緑色光領域の透過率を抑える際に、これにつられて透過率が下がっている緑色光領域の両側の領域の透過率を大きくすることで、全体としてフィルタを通る光の量を多くすることに想到する。
【先行技術文献】
【特許文献】
【０００６】
【特許文献１】特開平６−１８８１９号公報
【発明の概要】
【発明が解決しようとする課題】
【０００７】
しかし、この緑色光領域の両側の領域の透過率を上げると、色覚異常者の中には、眩しすぎて、逆に、色覚補正フィルタを明るい所で使えないという問題が判明した。
本発明は、上記課題に鑑みてなされたものであり、明るい所でも暗い所でも使用可能な色覚補正フィルタ、及び色覚補正メガネの提供を目的とする。
【課題を解決するための手段】
【０００８】
上記課題を解決するためになされた第１の発明は、色覚異常者の色覚を補正する色覚補正フィルタであって、波長が４７０ｎｍである青色光の透過率が３０％以上８０％以下であり、波長が５００ｎｍ以上５５０ｎｍ以下からなる緑色光領域の透過率が３０％以上６０％以下に設けられるとともに、波長が４５０ｎｍ以上６００ｎｍ以下の領域における最小透過率が前記緑色光領域に設けられ、波長が５６０ｎｍである黄色光の透過率が８０％以上であり、波長が６００ｎｍである赤色光の透過率が９０％以上であることを特徴とする。
【０００９】
本発明者が鋭意検討したところによると、色覚補正フィルタの赤色側の透過率を大きくしても色覚異常者はあまり眩しく感じないのに対し、青色側の透過率を一定以上大きくすると、非常に眩しく感じることが判明した。即ち、本発明に係る色覚補正フィルタでは、波長が４７０ｎｍである青色光の透過率を８０％以下に抑えたことで、使用者が眩しく感じることを抑制することができる。また、波長が５６０ｎｍである黄色光の透過率を８０％以上とし、波長が６００ｎｍである赤色光の透過率を９０％以上としたことで、フィルタ全体を通る光の量を増加するため、使用者は、暗い所でも、色覚補正が十分に行うことができる。
さらに、本発明の色覚補正フィルタは、赤色光の透過率を高くしたことで、緑色光の透過率を高くしても、緑色光と赤色光の透過率の差を十分に確保できるため、緑色光の透過率を従来品より高い３０％から６０％以上にした。これにより緑色光の範囲においても、従来品に比べフィルタを通過する光量が増加し、より暗い所での使用が可能となり、また、本発明の色覚補正フィルタを通して見た緑色が、裸眼で見た色と異なる色に見えることを抑制できる。
【００１０】
上記第１の発明に係る色覚補正フィルタ（以下「Ａタイプ」の色覚補正フィルタという）は、５００ｎｍ以上５５０ｎｍ以下からなる緑色光領域における最大透過率と最小透過率の差が１０％以内であることが好ましい。
Ａタイプの色覚異常者は、５００ｎｍ〜５５０ｎｍの波長領域に含まれる緑色については、微妙な色の違いであっても判別することができる。しかし、この波長領域の透過率曲線に大きな傾斜を付けると、隣接する緑色間の透過率の比が裸眼の場合の比と異なってしまうため、裸眼では判別できる微妙な緑色の違いが、フィルタを使用するとできなくなる虞がある。５００ｎｍ〜５５０ｎｍの光の透過率の最大値と最小値の差を１０％以内に収めることで、当該波長領域における透過率曲線が略水平になり、Ｂタイプの色覚異常者が使用した場合に、この波長領域に含まれる微妙な緑色の区別ができなくなることを抑制できる。
【００１１】
本願の第２発明に係る色覚補正フィルタ（以下「Ｂタイプ」の色覚補正フィルタという）は、色覚異常者の色覚を補正する色覚補正フィルタであって、波長が４７０ｎｍである青色光の透過率が３０％以上８０％以下であり、波長が５２０ｎｍ以上５５０ｎｍ以下からなる緑色光領域の透過率が３０％以上６０％以下に設けられ、波長が５６０ｎｍである黄色光の透過率が８０％以上であり、波長が６００ｎｍである赤色光の透過率が９０％以上であることを特徴とする。Ｂタイプの色覚補正フィルタでは、波長が５２０ｎｍ以上５５０ｎｍ以下の領域における最大透過率と最小透過率の差が１０％以内であることが好ましい。
Ｂタイプの色覚異常者は、５２０ｎｍ〜５５０ｎｍの波長領域に含まれる緑色については、微妙な色の違いであっても判別することができる。しかし、この波長領域の透過率曲線に、大きな傾斜を付けると、隣接する緑色間の透過率の比が裸眼の場合の比と異なってしまうため、裸眼では判別できる微妙に異なる緑色の区別がフィルタを使用するとできなくなる虞がある。５２０ｎｍ〜５５０ｎｍの光の透過率の最大値と最小値の差を１０％以内に収めることで、当該波長領域における透過率曲線が略水平になり、Ｂタイプの色覚異常者が使用した場合に、この波長領域に含まれる微妙な緑色の区別ができなくなることを抑制できる。
【発明の効果】
【００１２】
本発明の色覚補正フィルタセット、及び色覚補正メガネによれば、赤緑色覚異常者が、明るい所でも暗い所でも、十分に色覚補正を行うことができる。
【図面の簡単な説明】
【００１３】
【図１】本発明の第１実施形態に係るＡタイプの色覚補正フィルタの模式的透過率曲線である。
【図２】本発明の第２実施形態に係るＢタイプの色覚補正フィルタの模式的透過率曲線である。
【図３】従来のＡタイプの模式的透過率曲線である。
【図４】従来のＢタイプの模式的透過率曲線である。
【発明を実施するための形態】
【００１４】
以下、適宜図面を用いながら本発明の実施形態について詳述する。
本発明の色覚補正フィルタについては、いずれの実施形態においても、ガラスや樹脂の基材表面に真空蒸着法により多層膜を形成する方法や、基材に多層フィルムを貼着する方法、基材に顔料等を混合する方法等、公知の製造方法を適宜に選択できるが、基材に多層フィルムを貼着する方法が、フィルタに目標とする透過率曲線を正確に設ける上で好ましい。
尚、本発明は以下の実施形態に限られるものではない。
（第１実施形態）
図１は、本発明の第１実施形態に係るＡタイプの色覚補正フィルタ１００（不図示）を通過する光の波長ごとの透過率を模式的に示した透過率曲線である。
【００１５】
Ａタイプの色覚補正フィルタ１００は、赤緑色覚異常者のうち、緑色に対する感度が他の色に対する感度よりも相対的に強いＡタイプの色覚異常者を対象としたもので、可視光の波長領域のうち概ね中央に位置する緑色領域の光の透過率を抑えた透過率曲線が付与されている。図１では、Ａタイプの色覚異常者のうち、異常の程度の軽重に合わせて使い分けられる８種類の色覚補正フィルタ１００（１０１〜１０８）の透過率曲線を示している。色覚補正フィルタ１０１が最も異常の程度の軽い色覚異常者に用いられ、色覚補正フィルタ１０８が最も異常の程度の重い色覚異常者に用いられる。
【００１６】
色覚補正フィルタ１００の透過率曲線は、図１に示すように、いずれも、波長が５００ｎｍ以上５５０ｎｍ以下の緑色光領域において、波長が４５０ｎｍから６００ｎｍにおける最小透過率を有している。これにより、緑色の感度が強いＡタイプの色覚を補正するようにしている。
【００１７】
色覚補正フィルタ１００の透過率曲線は、波長が４７０ｎｍである青色光の透過率が３０％以上８０％以下に設けられている。波長が４７０ｎｍである青色光の透過率を８０％以下とすることで、当該フィルタ１００を使用する色覚異常者が眩しく感じることを抑制できる。波長が４５０ｎｍ以上４９０ｎｍ以下の全域にわたり透過率が８０％以下とすることで、さらに効果的に眩しさを抑制できる。
【００１８】
（下線部、ご確認ください。）
また、色覚補正フィルタ１００の透過率曲線は、波長が４７０ｎｍの青色光の透過率が３０％以上に設けられている。こうすることで、裸眼の場合と比べて、青色の色合いが損なわれることを抑制できる。尚、実際には、色覚補正フィルタ１００の透過率曲線は、緑色に対する感度の強い色覚異常者を対象としているため、青色光を大きく抑える必要が無いため、波長が４７０ｎｍの青色光の透過率が４５％以上に設けられている。
また、Ａタイプの色覚補正フィルタ１００は、４５０ｎｍ以上４９０ｎｍ以下の青色領域における透過率の最大値と最小値の差が１０％以内であることが好ましい。即ち、緑色領域との境界付近まで青色領域における透過率が下がらないように維持することで、青色領域においても、フィルタを透過する光量を稼ぐことができる。
【００１９】
また、Ａタイプの色覚補正フィルタ１００は、波長が５００ｎｍ以上５５０ｎｍ以下の緑色光の透過率が３０％以上に設けられている。色覚補正フィルタ１００は、後述するように、黄色から赤色光領域の透過率を高くしたことにより、緑色光の透過率を３０％未満としなくとも、黄色光、及び赤色光との透過率の差を十分に設けることが可能なことによる。また、Ａタイプの色覚補正フィルタ１００は、波長が５００ｎｍ以上５５０ｎｍ以下の緑色光の透過率が６０％以下に設けられており、これは、この透過率が６０％を超えると、Ａタイプの色覚異常者が十分に緑色と赤色を区別できない虞があることによる。
さらに、色覚補正フィルタ１００は、波長が５００ｎｍ以上５５０ｎｍ以下の緑色光領域における最大透過率と最小透過率の差が１０％以下（図１では、０％）に設けられている。こうすることで、Ａタイプの色覚異常者が本来有する、この領域における緑色の微妙な色の違いを判別する能力が損なわれることを抑制できる。
【００２０】
また、色覚補正フィルタ１００は、波長が５６０ｎｍである黄色光の透過率が８０％以上に、波長が６００ｎｍである赤色光の透過率が９０％以上に設けられている。こうすることで、色覚異常者の目に入る光量を確保して、視界が暗くなることを抑制できる。
【００２１】
（第２実施形態）
図２は、本発明の第２実施形態に係るＢタイプの色覚補正フィルタ２００（不図示）を通過する光の波長ごとの透過率を模式的に示した透過率曲線である。
【００２２】
Ｂタイプの色覚補正フィルタ２００は、赤緑色覚異常者のうち、緑色に加え、青色に対する感度が他の色に対する感度よりも相対的に強いＢタイプの色覚異常者を対象としたもので、可視光の波長領域のうち、青色領域、及び緑色領域の光の透過率を抑えた透過率曲線が付与されている。図２では、Ｂタイプの色覚異常者のうち、異常の程度の軽重に合わせて使い分けられる８種類の色覚補正フィルタ２００（２０１〜２０８）の透過率曲線を示している。色覚補正フィルタ２０１が最も異常の程度の軽い色覚異常者に用いられ、色覚補正フィルタ２０８が最も異常の程度の重い色覚異常者に用いられる。
尚、Ａタイプの色覚補正フィルタ１００と、Ｂタイプの色覚補正フィルタ２００の透過率曲線において、同様の特性を有する部分においては、一部説明を省略する。
【００２３】
色覚補正フィルタ２００の透過率曲線は、図２に示すように、波長が４５０ｎｍ以上５２０ｎｍ未満の青色領域、及び波長が５２０ｎｍ以上５５０ｎｍ未満の青色領域緑色光領域において、透過率を抑えた透過率曲線を有している。Ｂタイプの色覚補正フィルタ２００のうち、異常の度合いの軽い色覚異常者用のフィルタ２０１〜２０６は、青色領域の透過率が緑色光領域の透過率より高く設けられ、異常の度合いの重い色覚異常者用のフィルタ２０７、２０８は、青色領域の透過率が緑色光領域の透過率以下に設けられている。
【００２４】
色覚補正フィルタ２００の透過率曲線は、波長が４５０ｎｍ以上４９０ｎｍの青色領域における透過率が６０％以下に設けられている。色覚補正フィルタ２００においても、波長が４７０ｎｍである青色光の透過率を８０％以下としたので、色覚異常者が眩しく感じることを抑制できる。
【００２５】
また、色覚補正フィルタ２００の透過率曲線は、色覚補正フィルタ１００と同様に、波長が４７０ｎｍの青色光の透過率を３０％以上に設け、青色の色合いが損なわれることを抑制している。
色覚補正フィルタ２００は、実際には、色覚補正フィルタ２００の透過率曲線は、青色に対する感度の強い色覚異常者を対象とし、青色光を抑える必要が有るため、波長が４７０ｎｍの青色光の透過率が６０％以下に設けられている。
また、Ｂタイプの色覚補正フィルタ２００においても、Ａタイプの色覚補正フィルタ１００と同様に、青色領域において透過する光量を確保するため、４５０ｎｍ以上４９０ｎｍ以下の青色領域における透過率の最大値と最小値の差を１０％以内に設けている。
【００２６】
また、Ｂタイプの色覚補正フィルタ２００では、波長が５２０ｎｍ以上５５０ｎｍ以下の緑色光の透過率を３０％以上としている。これは、Ａタイプの色覚補正フィルタ１００と同様に、黄色から赤色光領域の透過率を高くしたことにより、緑色光の透過率を３０％未満としなくとも、黄色光、及び赤色光との透過率の差を十分に設けることが可能なことによる。
【００２７】
また、図２の例では、波長が５２０ｎｍ以上５５０ｎｍ以下の緑色光の透過率が３４％に設けられているが、これを、３０％以上６０％以下の範囲で適宜変更すことが可能である。
ここで、この範囲の透過率が６０％を超えると、Ｂタイプの色覚異常者が十分に緑色と赤色を区別できない虞がある。
また、色覚補正フィルタ２００は、波長が５２０ｎｍ以上５５０ｎｍ以下の緑色光領域における最大透過率と最小透過率の差が１０％以下（図２では、０％）に設けられている。こうすることで、Ｂタイプの色覚異常者が本来有する、この領域における緑色の微妙な色の違いを判別する能力を損なうことを抑制できる。
【００２８】
Ａタイプの色覚補正フィルタ１００においては、青色領域から緑色光領域にかけて波長が５００ｎｍの位置で透過率が変化するのに対し、Ｂタイプの色覚補正フィルタ２００では、青色領域から緑色光領域にかけて透過率が変化する場合には、５２０ｎｍの位置で透過率が変化するように設けられている。即ち、本発明者が鋭意検討した結果、５００ｎｍ以上５２０ｎｍ未満の領域と５２０ｎｍ以上５５０ｎｍ以下の領域との透過率の差を加減することにより、Ｂタイプの色覚異常者に対し、より効果的に色覚補正が行える。
【００２９】
また、色覚補正フィルタ２００においても、波長が５６０ｎｍである黄色光の透過率が８０％以上に、波長が６００ｎｍである赤色光の透過率が９０％以上に設けられ、色覚異常者の目に入る光量を確保して、視界が暗くなることを抑制している。
【００３０】
また、図示は省略したが、本発明は、色覚補正フィルタ１００、又は色覚補正フィルタ２００を左右一対に備えた色覚補正メガネを含む。
【００３１】
以上、本発明の色覚補正フィルタは、上述した実施形態に限られるものではなく、例えば、Ａタイプ用の色覚補正フィルタにおいて、５００ｎｍ以上５５０ｎｍ以下からなる緑色光領域における最大透過率と最小透過率の差が１０％以内でなくともよいし、４５０ｎｍ以上４９０ｎｍ以下の青色領域における透過率の最大値と最小値の差が１０％以内でなくともよい。
同様に、Ｂタイプの色覚補正フィルムにおいて、５２０ｎｍ以上５５０ｎｍ以下からなる緑色光領域における最大透過率と最小透過率の差が１０％以内でなくともよいし、４５０ｎｍ以上４９０ｎｍ以下の青色領域における透過率の最大値と最小値の差が１０％以内でなくともよい。
【符号の説明】
【００３２】
色覚補正フィルタ１００（１０１〜１０８），２００（２０１〜２０８）（不図示）
【図１】
2019101345.tif 000003
【図２】
2019101345.tif 000004
【図３】
2019101345.tif 000005
【図４】
2019101345.tif 000006
【手続補正書】
【提出日】平成30年5月29日(2018.5.29)
【手続補正１】
【補正対象書類名】特許請求の範囲
【補正対象項目名】全文
【補正方法】変更
【補正の内容】
【特許請求の範囲】
【請求項１】
色覚異常者の色覚を補正する色覚補正フィルタであって、
波長が４７０ｎｍである青色光の透過率が３０％以上８０％以下であり、
波長が５００ｎｍ以上５５０ｎｍ以下からなる緑色光領域の透過率が３０％以上６０％以下に設けられるとともに、波長が４５０ｎｍ以上６００ｎｍ以下の領域における最小透過率が前記緑色光領域に設けられ、
波長が５６０ｎｍである黄色光の透過率が８０％以上であり、
波長が６００ｎｍである赤色光の透過率が９０％以上であることを特徴とする色覚補正
フィルタ。
【請求項２】
５００ｎｍ以上５５０ｎｍ以下からなる緑色光領域における最大透過率と最小透過率の差が１０％以内である請求項１に記載の色覚補正フィルタ。
【請求項３】
色覚異常者の色覚を補正する色覚補正フィルタであって、
波長が４７０ｎｍである青色光の透過率が３０％以上８０％以下であり、
波長が５２０ｎｍ以上５５０ｎｍ以下からなる緑色光領域の透過率が３０％以上６０％以下に設けられ、
波長が５６０ｎｍである黄色光の透過率が８０％以上であり、
波長が６００ｎｍである赤色光の透過率が９０％以上であることを特徴とする色覚補正フィルタ。
【請求項４】
５２０ｎｍ以上５５０ｎｍ以下からなる緑色光領域における最大透過率と最小透過率の差が１０％以内である請求項３に記載の色覚補正フィルタ。
【請求項５】
請求項１から請求項４のいずれか１項に記載の色覚補正フィルタを左右一対に備えた色
覚補正メガネ。